(57)【要約】【課題】外部サーバを使用せず、かつ、利用時の降車駅入力を不要とする携帯端末単独での降車駅接近通知処理の実現。【解決手段】入場駅と入場駅に対応した降車駅までの所要時間，通知対象日，通知対象時間帯と通知調整時間とが予め登録された記憶部１６を備え、改札入場時に自動改札機２０から入場駅名を受信する手段と、受信した入場駅名が記憶部１６に登録されているかを検索する手段と、登録されていた場合に現在日時が通知対象日または通知対象時間帯の少なくともいずれかに該当するかを判別する手段と、該当している場合に受信した入場駅名に対応して登録されている所要時間と通知調整時間とを取得する手段と、所要時間から通知調整時間を減算して監視時間を算出し監視時間の経過時間監視を開始する手段と、監視時間が経過したときに降車駅への接近を利用者に通知する手段とを携帯端末１０に備える。【選択図】      図１
2006331175.tif 000002
【特許請求の範囲】
【請求項１】
携帯端末と、駅に設置された自動改札機とを備えた降車駅接近通知システムであって、
前記携帯端末は、通知対象入場駅と前記通知対象入場駅に対応した降車駅までの所要時間とが予め登録された記憶部と、改札入場時に前記自動改札機から入場駅名を受信する手段と、受信した入場駅名が前記記憶部に通知対象入場駅として登録されているかを検索する手段と、登録されていた場合に、対応して登録されている所要時間を取得し経過時間監視を開始する手段と、前記所要時間が経過したときに降車駅への接近を利用者に通知する手段とを有し、
前記自動改札機は、改札入場時に前記携帯端末に入場駅名を送信する手段を有することを特徴とする降車駅接近通知システム。
【請求項２】
携帯端末と、駅に設置された自動改札機とを備えた降車駅接近通知システムであって、
前記携帯端末は、通知対象入場駅と前記通知対象入場駅に対応した降車駅までの所要時間と通知対象日と通知対象時間帯とが対応付けられて予め登録された記憶部と、改札入場時に前記自動改札機から入場駅名を受信する手段と、受信した入場駅名が前記記憶部に通知対象入場駅として登録されているかを検索する手段と、登録されていた場合に、現在日時が前記通知対象日または前記通知対象時間帯の少なくともいずれかに該当するかを判別する手段と、該当している場合に受信した入場駅名に対応して登録されている所要時間を取得し経過時間監視を開始する手段と、前記所要時間が経過したときに降車駅への接近を利用者に通知する手段とを有し、
前記自動改札機は、改札入場時に前記携帯端末に入場駅名を送信する手段を有することを特徴とする降車駅接近通知システム。
【請求項３】
前記携帯端末は、前記所要時間を取得した後、所定キーが押下されたときに前記所要時間の経過時間監視を開始することを特徴とする請求項１または２記載の降車駅接近通知システム。
【請求項４】
携帯端末と、駅に設置された自動改札機とを備えた降車駅接近通知システムであって、
前記携帯端末は、通知対象入場駅と前記通知対象入場駅に対応した降車駅までの所要時間と降車駅到着のどの位前に通知するかを規定する通知調整時間とが対応付けられて予め登録された記憶部と、改札入場時に前記自動改札機から入場駅名を受信する手段と、受信した入場駅名が前記記憶部に通知対象入場駅として登録されているかを検索する手段と、登録されていた場合に、対応して登録されている所要時間と前記通知調整時間とを取得する手段と、前記所要時間から前記通知調整時間を減算して監視時間を算出し前記監視時間の経過時間監視を開始する手段と、前記監視時間が経過したときに降車駅への接近を利用者に通知する手段とを有し、
前記自動改札機は、改札入場時に前記携帯端末に入場駅名を送信する手段を有することを特徴とする降車駅接近通知システム。
【請求項５】
携帯端末と、駅に設置された自動改札機とを備えた降車駅接近通知システムであって、
前記携帯端末は、通知対象入場駅と前記通知対象入場駅に対応した降車駅までの所要時間，通知対象日，通知対象時間帯と降車駅到着のどの位前に通知するかを規定する通知調整時間とが対応付けられて予め登録された記憶部と、改札入場時に前記自動改札機から入場駅名を受信する手段と、受信した入場駅名が前記記憶部に通知対象入場駅として登録されているかを検索する手段と、登録されていた場合に、現在日時が前記通知対象日または前記通知対象時間帯の少なくともいずれかに該当するかを判別する手段と、該当している場合に受信した入場駅名に対応して登録されている所要時間と前記通知調整時間とを取得する手段と、前記所要時間から前記通知調整時間を減算して監視時間を算出し前記監視時間の経過時間監視を開始する手段と、前記監視時間が経過したときに降車駅への接近を利用者に通知する手段とを有し、
前記自動改札機は、改札入場時に前記携帯端末に入場駅名を送信する手段を有することを特徴とする降車駅接近通知システム。
【請求項６】
前記携帯端末は、前記監視時間を算出した後、所定キーが押下されたときに前記監視時間の経過時間監視を開始することを特徴とする請求項４または５記載の降車駅接近通知システム。
【請求項７】
前記携帯端末は、前記受信した入場駅名が前記記憶部に登録されていた場合に、通知処理を行うか否かの選択画面を表示し、利用者の選択を受けて処理を継続するか否かを決定する手段を、さらに有することを特徴とする請求項１〜６のいずれか１項記載の降車駅接近通知システム。
【請求項８】
通知対象入場駅と前記通知対象入場駅に対応した降車駅までの所要時間とが予め登録された記憶部と、改札入場時に自動改札機から入場駅名を受信する手段と、受信した入場駅名が前記記憶部に通知対象入場駅として登録されているかを検索する手段と、登録されていた場合に、対応して登録されている所要時間を取得し経過時間監視を開始する手段と、前記所要時間が経過したときに降車駅への接近を利用者に通知する手段とを有することを特徴とする携帯端末。
【請求項９】
通知対象入場駅と前記通知対象入場駅に対応した降車駅までの所要時間と通知対象日と通知対象時間帯とが対応付けられて予め登録された記憶部と、改札入場時に自動改札機から入場駅名を受信する手段と、受信した入場駅名が前記記憶部に通知対象入場駅として登録されているかを検索する手段と、登録されていた場合に、現在日時が前記通知対象日または前記通知対象時間帯の少なくともいずれかに該当するかを判別する手段と、該当している場合に受信した入場駅名に対応して登録されている所要時間を取得し経過時間監視を開始する手段と、前記所要時間が経過したときに降車駅への接近を利用者に通知する手段とを有することを特徴とする携帯端末。
【請求項１０】
前記所要時間を取得した後、所定キーが押下されたときに前記所要時間の経過時間監視を開始することを特徴とする請求項８または９記載の携帯端末。
【請求項１１】
通知対象入場駅と前記通知対象入場駅に対応した降車駅までの所要時間と降車駅到着のどの位前に通知するかを規定する通知調整時間とが対応付けられて予め登録された記憶部と、改札入場時に自動改札機から入場駅名を受信する手段と、受信した入場駅名が前記記憶部に通知対象入場駅として登録されているかを検索する手段と、登録されていた場合に、対応して登録されている所要時間と前記通知調整時間とを取得する手段と、前記所要時間から前記通知調整時間を減算して監視時間を算出し前記監視時間の経過時間監視を開始する手段と、前記監視時間が経過したときに降車駅への接近を利用者に通知する手段とを有することを特徴とする携帯端末。
【請求項１２】
通知対象入場駅と前記通知対象入場駅に対応した降車駅までの所要時間，通知対象日，通知対象時間帯と降車駅到着のどの位前に通知するかを規定する通知調整時間とが対応付けられて予め登録された記憶部と、改札入場時に自動改札機から入場駅名を受信する手段と、受信した入場駅名が前記記憶部に通知対象入場駅として登録されているかを検索する手段と、登録されていた場合に、現在日時が前記通知対象日または前記通知対象時間帯の少なくともいずれかに該当するかを判別する手段と、該当している場合に受信した入場駅名に対応して登録されている所要時間と前記通知調整時間とを取得する手段と、前記所要時間から前記通知調整時間を減算して監視時間を算出し前記監視時間の経過時間監視を開始する手段と、前記監視時間が経過したときに降車駅への接近を利用者に通知する手段とを有することを特徴とする携帯端末。
【請求項１３】
前記監視時間を算出した後、所定キーが押下されたときに前記監視時間の経過時間監視を開始することを特徴とする請求項１１または１２記載の携帯端末。
【請求項１４】
前記自動改札機から受信した入場駅名が前記記憶部に登録されていた場合に、通知処理を行うか否かの選択画面を表示し、利用者の選択を受けて処理を継続するか否かを決定する手段を、さらに有することを特徴とする請求項８〜１３のいずれか１項記載の携帯端末。
【請求項１５】
通知対象入場駅と前記通知対象入場駅に対応した降車駅までの所要時間とを予め携帯端末に登録しておき、改札入場時に自動改札機から受信した入場駅名が前記携帯端末に通知対象入場駅として登録されているかを検索し、登録されていた場合に所要時間を取得して経過時間監視を開始し、所要時間が経過したときに降車駅への接近を利用者に通知することを特徴とする降車駅接近通知方法。
【請求項１６】
通知対象入場駅と前記通知対象入場駅に対応した降車駅までの所要時間，通知対象日，通知対象時間帯と降車駅到着のどの位前に通知するかを規定する通知調整時間とを対応付けて予め携帯端末に登録しておき、改札入場時に自動改札機から受信した入場駅名が前記携帯端末に通知対象入場駅として登録されているかを検索し、登録されていた場合に現在日時が前記通知対象日または前記通知対象時間帯の少なくともいずれかに該当するかを判別し、該当している場合に受信した入場駅名に対応して登録されている所要時間と前記通知調整時間とを取得し、前記所要時間から前記通知調整時間を減算して監視時間を算出し前記監視時間の経過時間監視を開始し、前記監視時間が経過したときに降車駅への接近を利用者に通知することを特徴とする降車駅接近通知方法。
【請求項１７】
通知対象入場駅と前記通知対象入場駅に対応した降車駅までの所要時間とを予め記憶部に登録する機能、改札入場時に受信した入場駅名が前記記憶部に通知対象入場駅として登録されているかを検索する機能、登録されていた場合に対応して登録されている所要時間を取得し経過時間監視を開始する機能、前記所要時間が経過したときに降車駅への接近を利用者に通知する機能、をコンピュータに実現させるためのプログラム。
【請求項１８】
通知対象入場駅と前記通知対象入場駅に対応した降車駅までの所要時間と通知対象日と通知対象時間帯とを対応付けて予め記憶部に登録する機能、改札入場時に受信した入場駅名が前記記憶部に通知対象入場駅として登録されているかを検索する機能、登録されていた場合に現在日時が前記通知対象日または前記通知対象時間帯の少なくともいずれかに該当するかを判別する機能、該当している場合に受信した入場駅名に対応して登録されている所要時間を取得し経過時間監視を開始する機能、前記所要時間が経過したときに降車駅への接近を利用者に通知する機能、をコンピュータに実現させるためのプログラム。
【請求項１９】
通知対象入場駅と前記通知対象入場駅に対応した降車駅までの所要時間と降車駅到着のどの位前に通知するかを規定する通知調整時間とを対応付けて予め記憶部に登録する機能、改札入場時に受信した入場駅名が前記記憶部に通知対象入場駅として登録されているかを検索する機能、登録されていた場合に対応して登録されている所要時間と前記通知調整時間とを取得する機能、前記所要時間から前記通知調整時間を減算して監視時間を算出し前記監視時間の経過時間監視を開始する機能、前記監視時間が経過したときに降車駅への接近を利用者に通知する機能、をコンピュータに実現させるためのプログラム。
【請求項２０】
通知対象入場駅と前記通知対象入場駅に対応した降車駅までの所要時間，通知対象日，通知対象時間帯と降車駅到着のどの位前に通知するかを規定する通知調整時間とを対応付けて予め記憶部に登録する機能、改札入場時に受信した入場駅名が前記記憶部に通知対象入場駅として登録されているかを検索する機能、登録されていた場合に現在日時が前記通知対象日または前記通知対象時間帯の少なくともいずれかに該当するかを判別する機能、該当している場合に受信した入場駅名に対応して登録されている所要時間と前記通知調整時間とを取得する機能、前記所要時間から前記通知調整時間を減算して監視時間を算出し前記監視時間の経過時間監視を開始する機能、前記監視時間が経過したときに降車駅への接近を利用者に通知する機能、をコンピュータに実現させるためのプログラム。
【発明の詳細な説明】
【技術分野】
【０００１】
本発明は、降車駅接近通知システム，携帯端末，降車駅接近通知方法およびプログラムに関し、特に自動改札機と携帯端末間の非接触通信を伴う降車駅接近通知システム，携帯端末，降車駅接近通知方法およびプログラムに関する。
【背景技術】
【０００２】
携帯端末を利用した降車駅接近通知システムの例としては、例えば、特開２００３−２１６７０５号公報（特許文献１）に開示された発明がある。この特許文献１においては、
・携帯端末からネットワークを介してサーバに列車種別（新幹線名や在来線名等），列車名，降車駅名等を登録して降車駅接近通知を要求し、
・サーバは受信した列車の降車駅への到着時刻を検索し、到着時刻または到着時刻近くになると携帯端末に降車駅への接近を通知する、
ことが記載されている。
【０００３】
【特許文献１】特開２００３−２１６７０５号公報（段落「００１５」〜「００１６」、図１）
【発明の開示】
【発明が解決しようとする課題】
【０００４】
上述した特許文献１においては、降車駅到着時刻の検索をサーバが行っているため、サーバを含んだシステムの構築が必要になるという問題がある。
【０００５】
また、携帯端末からネットワークを介してサーバにアクセスし情報の送受信を行っているため、利用者は利用する度に通信料金を負担しなければならないという問題がある。
【０００６】
また、利用者は列車種別，列車名，降車駅名等を利用の度に入力，送信しなければならないため、手間がかかるという問題がある。
【０００７】
本発明の目的は、上述した課題を解決する降車駅接近通知システム，携帯端末，降車駅接近通知方法およびプログラムを提供することにある。
【課題を解決するための手段】
【０００８】
本発明の第１の降車駅接近通知システムは、携帯端末と、駅に設置された自動改札機とを備えた降車駅接近通知システムであって、
前記携帯端末は、通知対象入場駅と前記通知対象入場駅に対応した降車駅までの所要時間とが予め登録された記憶部と、改札入場時に前記自動改札機から入場駅名を受信する手段と、受信した入場駅名が前記記憶部に通知対象入場駅として登録されているかを検索する手段と、登録されていた場合に、対応して登録されている所要時間を取得し経過時間監視を開始する手段と、前記所要時間が経過したときに降車駅への接近を利用者に通知する手段とを有し、
前記自動改札機は、改札入場時に前記携帯端末に入場駅名を送信する手段を有する。
【０００９】
本発明の第２の降車駅接近通知システムは、携帯端末と、駅に設置された自動改札機とを備えた降車駅接近通知システムであって、
前記携帯端末は、通知対象入場駅と前記通知対象入場駅に対応した降車駅までの所要時間と通知対象日と通知対象時間帯とが対応付けられて予め登録された記憶部と、改札入場時に前記自動改札機から入場駅名を受信する手段と、受信した入場駅名が前記記憶部に通知対象入場駅として登録されているかを検索する手段と、登録されていた場合に、現在日時が前記通知対象日または前記通知対象時間帯の少なくともいずれかに該当するかを判別する手段と、該当している場合に受信した入場駅名に対応して登録されている所要時間を取得し経過時間監視を開始する手段と、前記所要時間が経過したときに降車駅への接近を利用者に通知する手段とを有し、
前記自動改札機は、改札入場時に前記携帯端末に入場駅名を送信する手段を有する。
【００１０】
本発明の第３の降車駅接近通知システムは、本発明の第１または第２の降車駅接近通知システムにおいて、前記携帯端末は、前記所要時間を取得した後、所定キーが押下されたときに前記所要時間の経過時間監視を開始することを特徴とする。
【００１１】
本発明の第４の降車駅接近通知システムは、携帯端末と、駅に設置された自動改札機とを備えた降車駅接近通知システムであって、
前記携帯端末は、通知対象入場駅と前記通知対象入場駅に対応した降車駅までの所要時間と降車駅到着のどの位前に通知するかを規定する通知調整時間とが対応付けられて予め登録された記憶部と、改札入場時に前記自動改札機から入場駅名を受信する手段と、受信した入場駅名が前記記憶部に通知対象入場駅として登録されているかを検索する手段と、登録されていた場合に、対応して登録されている所要時間と前記通知調整時間とを取得する手段と、前記所要時間から前記通知調整時間を減算して監視時間を算出し前記監視時間の経過時間監視を開始する手段と、前記監視時間が経過したときに降車駅への接近を利用者に通知する手段とを有し、
前記自動改札機は、改札入場時に前記携帯端末に入場駅名を送信する手段を有する。
【００１２】
本発明の第５の降車駅接近通知システムは、携帯端末と、駅に設置された自動改札機とを備えた降車駅接近通知システムであって、
前記携帯端末は、通知対象入場駅と前記通知対象入場駅に対応した降車駅までの所要時間，通知対象日，通知対象時間帯と降車駅到着のどの位前に通知するかを規定する通知調整時間とが対応付けられて予め登録された記憶部と、改札入場時に前記自動改札機から入場駅名を受信する手段と、受信した入場駅名が前記記憶部に通知対象入場駅として登録されているかを検索する手段と、登録されていた場合に、現在日時が前記通知対象日または前記通知対象時間帯の少なくともいずれかに該当するかを判別する手段と、該当している場合に受信した入場駅名に対応して登録されている所要時間と前記通知調整時間とを取得する手段と、前記所要時間から前記通知調整時間を減算して監視時間を算出し前記監視時間の経過時間監視を開始する手段と、前記監視時間が経過したときに降車駅への接近を利用者に通知する手段とを有し、
前記自動改札機は、改札入場時に前記携帯端末に入場駅名を送信する手段を有する。
【００１３】
本発明の第６の降車駅接近通知システムは、本発明の第４または第５の降車駅接近通知システムにおいて、前記携帯端末は、前記監視時間を算出した後、所定キーが押下されたときに前記監視時間の経過時間監視を開始することを特徴とする。
【００１４】
本発明の第７の降車駅接近通知システムは、本発明の第１〜第６のいずれかの降車駅接近通知システムにおいて、前記携帯端末は、前記受信した入場駅名が前記記憶部に登録されていた場合に、通知処理を行うか否かの選択画面を表示し、利用者の選択を受けて処理を継続するか否かを決定する手段を、さらに有する。
【００１５】
本発明の第１の携帯端末は、通知対象入場駅と前記通知対象入場駅に対応した降車駅までの所要時間とが予め登録された記憶部と、改札入場時に自動改札機から入場駅名を受信する手段と、受信した入場駅名が前記記憶部に通知対象入場駅として登録されているかを検索する手段と、登録されていた場合に、対応して登録されている所要時間を取得し経過時間監視を開始する手段と、前記所要時間が経過したときに降車駅への接近を利用者に通知する手段とを有する。
【００１６】
本発明の第２の携帯端末は、通知対象入場駅と前記通知対象入場駅に対応した降車駅までの所要時間と通知対象日と通知対象時間帯とが対応付けられて予め登録された記憶部と、改札入場時に自動改札機から入場駅名を受信する手段と、受信した入場駅名が前記記憶部に通知対象入場駅として登録されているかを検索する手段と、登録されていた場合に、現在日時が前記通知対象日または前記通知対象時間帯の少なくともいずれかに該当するかを判別する手段と、該当している場合に受信した入場駅名に対応して登録されている所要時間を取得し経過時間監視を開始する手段と、前記所要時間が経過したときに降車駅への接近を利用者に通知する手段とを有する。
【００１７】
本発明の第３の携帯端末は、本発明の第１または第２の携帯端末において、前記所要時間を取得した後、所定キーが押下されたときに前記所要時間の経過時間監視を開始することを特徴とする。
【００１８】
本発明の第４の携帯端末は、通知対象入場駅と前記通知対象入場駅に対応した降車駅までの所要時間と降車駅到着のどの位前に通知するかを規定する通知調整時間とが対応付けられて予め登録された記憶部と、改札入場時に自動改札機から入場駅名を受信する手段と、受信した入場駅名が前記記憶部に通知対象入場駅として登録されているかを検索する手段と、登録されていた場合に、対応して登録されている所要時間と前記通知調整時間とを取得する手段と、前記所要時間から前記通知調整時間を減算して監視時間を算出し前記監視時間の経過時間監視を開始する手段と、前記監視時間が経過したときに降車駅への接近を利用者に通知する手段とを有する。
【００１９】
本発明の第５の携帯端末は、通知対象入場駅と前記通知対象入場駅に対応した降車駅までの所要時間，通知対象日，通知対象時間帯と降車駅到着のどの位前に通知するかを規定する通知調整時間とが対応付けられて予め登録された記憶部と、改札入場時に自動改札機から入場駅名を受信する手段と、受信した入場駅名が前記記憶部に通知対象入場駅として登録されているかを検索する手段と、登録されていた場合に、現在日時が前記通知対象日または前記通知対象時間帯の少なくともいずれかに該当するかを判別する手段と、該当している場合に受信した入場駅名に対応して登録されている所要時間と前記通知調整時間とを取得する手段と、前記所要時間から前記通知調整時間を減算して監視時間を算出し前記監視時間の経過時間監視を開始する手段と、前記監視時間が経過したときに降車駅への接近を利用者に通知する手段とを有する。
【００２０】
本発明の第６の携帯端末は、本発明の第４または第５の携帯端末において、前記監視時間を算出した後、所定キーが押下されたときに前記監視時間の経過時間監視を開始することを特徴とする。
【００２１】
本発明の第７の携帯端末は、本発明の第１〜第６のいずれかの携帯端末において、前記自動改札機から受信した入場駅名が前記記憶部に登録されていた場合に、通知処理を行うか否かの選択画面を表示し、利用者の選択を受けて処理を継続するか否かを決定する手段を、さらに有する。
【００２２】
本発明の第１の降車駅接近通知方法は、通知対象入場駅と前記通知対象入場駅に対応した降車駅までの所要時間とを予め携帯端末に登録しておき、改札入場時に自動改札機から受信した入場駅名が前記携帯端末に通知対象入場駅として登録されているかを検索し、登録されていた場合に所要時間を取得して経過時間監視を開始し、所要時間が経過したときに降車駅への接近を利用者に通知することを特徴とする。
【００２３】
本発明の第２の降車駅接近通知方法は、通知対象入場駅と前記通知対象入場駅に対応した降車駅までの所要時間，通知対象日，通知対象時間帯と降車駅到着のどの位前に通知するかを規定する通知調整時間とを対応付けて予め携帯端末に登録しておき、改札入場時に自動改札機から受信した入場駅名が前記携帯端末に通知対象入場駅として登録されているかを検索し、登録されていた場合に現在日時が前記通知対象日または前記通知対象時間帯の少なくともいずれかに該当するかを判別し、該当している場合に受信した入場駅名に対応して登録されている所要時間と前記通知調整時間とを取得し、前記所要時間から前記通知調整時間を減算して監視時間を算出し前記監視時間の経過時間監視を開始し、前記監視時間が経過したときに降車駅への接近を利用者に通知することを特徴とする。
【００２４】
本発明の第１のプログラムは、通知対象入場駅と前記通知対象入場駅に対応した降車駅までの所要時間とを予め記憶部に登録する機能、改札入場時に受信した入場駅名が前記記憶部に通知対象入場駅として登録されているかを検索する機能、登録されていた場合に対応して登録されている所要時間を取得し経過時間監視を開始する機能、前記所要時間が経過したときに降車駅への接近を利用者に通知する機能、をコンピュータに実現させる。
【００２５】
本発明の第２のプログラムは、通知対象入場駅と前記通知対象入場駅に対応した降車駅までの所要時間と通知対象日と通知対象時間帯とを対応付けて予め記憶部に登録する機能、改札入場時に受信した入場駅名が前記記憶部に通知対象入場駅として登録されているかを検索する機能、登録されていた場合に現在日時が前記通知対象日または前記通知対象時間帯の少なくともいずれかに該当するかを判別する機能、該当している場合に受信した入場駅名に対応して登録されている所要時間を取得し経過時間監視を開始する機能、前記所要時間が経過したときに降車駅への接近を利用者に通知する機能、をコンピュータに実現させる。
【００２６】
本発明の第３のプログラムは、通知対象入場駅と前記通知対象入場駅に対応した降車駅までの所要時間と降車駅到着のどの位前に通知するかを規定する通知調整時間とを対応付けて予め記憶部に登録する機能、改札入場時に受信した入場駅名が前記記憶部に通知対象入場駅として登録されているかを検索する機能、登録されていた場合に対応して登録されている所要時間と前記通知調整時間とを取得する機能、前記所要時間から前記通知調整時間を減算して監視時間を算出し前記監視時間の経過時間監視を開始する機能、前記監視時間が経過したときに降車駅への接近を利用者に通知する機能、をコンピュータに実現させる。
【００２７】
本発明の第４のプログラムは、通知対象入場駅と前記通知対象入場駅に対応した降車駅までの所要時間，通知対象日，通知対象時間帯と降車駅到着のどの位前に通知するかを規定する通知調整時間とを対応付けて予め記憶部に登録する機能、改札入場時に受信した入場駅名が前記記憶部に通知対象入場駅として登録されているかを検索する機能、登録されていた場合に現在日時が前記通知対象日または前記通知対象時間帯の少なくともいずれかに該当するかを判別する機能、該当している場合に受信した入場駅名に対応して登録されている所要時間と前記通知調整時間とを取得する機能、前記所要時間から前記通知調整時間を減算して監視時間を算出し前記監視時間の経過時間監視を開始する機能、前記監視時間が経過したときに降車駅への接近を利用者に通知する機能、をコンピュータに実現させる。
【発明の効果】
【００２８】
本発明においては、非接触通信を行う自動改札機を除いては全ての処理を携帯端末だけで行っているため、サーバ等の外部装置が不要となるという効果が得られる。
【００２９】
また、本発明においては、サーバ等との接続が不要であることから携帯電話網，インターネット等との接続も不要であるため、利用者にとって通信料金が発生しないという効果が得られる。
【００３０】
また、本発明においては、利用する入場駅名や降車駅までの所要時間等を携帯端末に予め登録しておくことにより降車駅接近通知を可能にしている。特に、定期券利用者は入場駅名や降車駅までの所要時間等を登録時に１回入力しておくだけで、毎日の通勤，通学時に降車駅接近通知を受信できるという効果が得られる。
【００３１】
また、本発明においては、携帯端末は改札入場時に自動改札機から入場駅名を受信するため、利用者による入力の手間が省けるという効果が得られる。
【発明を実施するための最良の形態】
【００３２】
本発明の実施の形態について図面を参照して詳細に説明する。
【００３３】
図１は、本発明の一実施の形態の構成を示す図であり、携帯端末１０と、自動改札機２０とを備えている。
【００３４】
携帯端末１０は、利用者が携帯する携帯電話機，ＰＨＳ（Personal Handyphone System），ＰＤＡ（Personal Digital Assistance）等の携帯情報端末である。この携帯端末１
０は、制御部１１と、入力部１２と、表示部１３と、時計部１４と、通知部１５と、記憶部１６と、非接触ＩＣ１７と、携帯端末・非接触ＩＣ間インターフェース部１８とを備えている。
【００３５】
制御部１１は、ＣＰＵ（Central Processing Unit）等の制御装置であり、図示しないプログラムにより動作を制御される。この制御部１１は、
・自動改札機２０から入場駅名を受信したときに、記憶部１６に登録された情報を基に降車駅接近通知の対象か否かを判断する機能、
・入場駅に対応する降車駅までの所要時間を記憶部１６から取得する機能、
・通知調整時間（到着予定の３分前に通知する、等）を記憶部１６から取得し、所要時間と通知調整時間を基に監視時間（例えば、所要時間から３分を減算）を算出する機能、
・監視時間の経過を監視する機能、
・監視時間が経過したときに、バイブレータ等の通知手段により降車駅接近を通知する機能、
を備えている。
【００３６】
入力部１２はテンキー，機能キー，ポインティングデバイス等の入力手段である。表示部１３はＬＣＤ(Liquid Crystal Display)等の表示装置であり、時計部１４は時刻情報やカレンダー情報等を生成する。通知部１５は、振動式警報装置であるバイブレータや、所定の音や音声を出力するスピーカ等である。
【００３７】
記憶部１６は読み出し，書き込み可能な記憶装置であり、入場駅／降車駅データベース１６１と、通知調整時間・通知手段データベース１６２とを含んでいる。入場駅／降車駅データベース１６１には、図２（入場駅／降車駅データベース１６１に格納されるデータの一例を示す図）に示すように、通知対象入場駅，通知対象日，通知対象時間帯，降車駅，所要時間等が通知対象入場駅に対応付けられて予め利用者により登録されている。ここで、通知対象入場駅とは、列車乗車時に降車駅接近通知の対象としたい乗車駅である。なお、降車駅については、通知対象入場駅に対応する所要時間情報を後で変更する場合等に備えて確認の意味で登録しておくものであり、利用者が覚えていられる場合は必ずしも登録する必要はない。通知対象日，通知対象時間帯とは、降車駅接近通知を行う日や時間帯を限定するために設定するものであり、例えば、平日の通勤，通学時間帯等である。所要時間とは、入場駅の自動改札機２０を通過した時点から降車駅に到着するまでの時間であり、例えば、入場駅，降車駅間の列車乗車時間に、入場駅の自動改札機２０から列車ホームまでの移動時間や列車待ち時間等を加算した時間である。通知調整時間・通知手段データベース１６２には、図３（通知調整時間・通知手段データベース１６２に格納されるデータの一例を示す図）に示すように、降車駅到着通知の通知調整時間と通知手段が予め利用者により登録されている。通知調整時間とは、降車駅到着通知時期を調整する時間であり、所要時間経過時に通知するのか、所要時間経過の何分か前（例えば、１分前，３分前，５分前、等）に通知するのかが予め設定される。通知手段とは、降車駅到着通知の方法であり、例えば、マナーモード等でも使用されている携帯端末１０の振動装置（バイブレータ）による振動や、所定の音や音声、降車駅接近を知らせるテキストや静止画像等が予め設定される。
【００３８】
非接触ＩＣ１７は、近接通信用アンテナを内蔵する非接触ＩＣカード（又はＩＣチップ）であり、携帯端末１０に内蔵されている。この非接触ＩＣ１７は、ＣＰＵ等の制御部１７１と、ＩＣリーダ／ライタを備えた非接触通信型自動改札機２０との間で近接通信用アンテナ１７２を介して無線信号の送受信を行う通信部１７３と、読み取り，書込可能な記憶部１７４とを備えている。なお、この非接触ＩＣ１７には、定期券情報が記憶部１７４に格納されており、駅の自動改札機２０で定期券の代わりに使用される。携帯端末・非接触ＩＣ間インターフェース部１８は、非接触ＩＣ１７と制御部１１とを接続するためのインタフェース部である。
【００３９】
自動改札機２０は、駅に設置され、利用者の入退場時に非接触通信（近接通信）により携帯端末１０の非接触ＩＣ１７との間で情報の送受信を行う機能を備えている。また、自動改札機２０は改札入場時に入場駅名を携帯端末１０に対して送信する機能を備えている。さらに、自動改札機２０は、携帯端末１０の非接触ＩＣ１７に格納された定期券情報の正当性チェックや入退場ゲートの開閉制御等も行うが、これらの処理は本発明とは直接関係がないので詳細な説明は省略する。
【００４０】
次に、本発明の一実施の形態の動作について図１〜図４を参照して説明する。図４は、本発明の一実施の形態の動作を示すフローチャートである。
【００４１】
まず、事前準備として、利用者は入場駅／降車駅データベース１６１に通知対象入場駅，降車駅，所要時間，通知対象日，通知対象時間帯を、通知調整時間・通知手段データベース１６２に通知調整時間と通知手段を、それぞれ登録する。これらの登録は、利用者が入力部１２を操作して制御部１１のプログラムを起動し、入場駅／降車駅の事前登録メニューを選択して行われ、表示部１３と連動しながらの登録が可能となる。なお、本発明は定期券利用者を対象にしており入場駅，降車駅は毎日同じであるため、登録は一回行えばよい。
【００４２】
上記の事前登録完了後、利用者は通勤や通学等のために駅の自動改札機２０に携帯端末１０をかざして駅に入場する。このとき、自動改札機２０は入場駅名を非接触通信により携帯端末１０に送信する。なお、自動改札機２０は、携帯端末１０に格納された定期券情報（有効期間，区間等）の正当性チェックや入退場ゲートの開閉制御等も行うが、これらの処理は本発明とは直接関係がないので詳細な説明は省略する（図４のステップＡ１）。携帯端末１０の非接触ＩＣ１７は自動改札機２０から入場駅名を受信し、携帯端末・非接触ＩＣ間インターフェース部１８を介して制御部１１に転送する（ステップＡ２）。
【００４３】
制御部１１は、受信した入場駅名が入場駅／降車駅データベース１６１に通知対象入場駅として登録されているかを検索する。登録されていなかった場合、制御部１１は処理を終了し、登録されていた場合、制御部１１は入場駅／降車駅データベース１６１を参照し、受信した入場駅対応に登録されている通知対象日（例えば、平日）を取得する。そして、制御部１１は時計部１４のカレンダー情報から当日が平日かを判別し、平日であれば通知対象日であると判断する（ステップＡ３→ステップＡ４）。通知対象日でなかった場合、制御部１１は処理を終了し、通知対象日であった場合、制御部１１は次に現在時刻が通知対象時間帯かを判断する。詳細には、制御部１１は時計部１４から現在時刻を取得し、取得した現在時刻が入場駅／降車駅データベース１６１に該当入場駅対応に登録された通知対象時間帯に入っているかを判断する（ステップＡ４→ステップＡ５）。通知対象時間帯でなかった場合、制御部１１は処理を終了し、通知対象時間帯であった場合、制御部１１は、入場駅／降車駅データベース１６１から該当入場駅対応に登録された所要時間（例えば、３２分）を取得する（ステップＡ５→ステップＡ６）。
【００４４】
次に、制御部１１は、通知調整時間・通知手段データベース１６２に登録されている通知調整時間（例えば、３分前）を取得する（ステップＡ７）。そして、制御部１１は取得した所要時間と通知調整時間から監視時間を算出する。例えば、所要時間が３２分、通知調整時間が３分前と登録されていた場合は、監視時間＝３２分（所要時間）−３分（通知調整時間）＝２９分となる（ステップＡ８）。その後、制御部１１は時計部１４を参照して監視時間の経過時間監視を開始する（ステップＡ９）。
【００４５】
監視時間の２９分が経過すると（ステップＡ１０）、制御部１１は通知調整時間・通知手段データベース１６２に登録されている通知手段（例えば、バイブレータ，テキスト）を取得する（ステップＡ１１）。そして、制御部１１は、ステップＡ１１で取得した通知手段（例えば、通知部１５のバイブレータによる振動、表示部１３への通知内容テキスト表示等）により降車駅に接近したことを利用者に通知する。なお、通知内容テキスト等は図示しないメモリに予め格納されたものを使用する（ステップＡ１２）。
【００４６】
以上説明したように、本実施の形態においては、非接触通信を行う自動改札機２０を除いては全ての処理を携帯端末１０だけで行っているため、サーバ等の外部装置が不要となるという効果が得られる。
【００４７】
また、本実施の形態においては、サーバ等との接続が不要であることから携帯電話網，インターネット等との接続も不要であるため、利用者にとって通信料金が発生しないという効果が得られる。
【００４８】
また、本実施の形態においては、定期券利用者が常時利用する入場駅名や降車駅までの所要時間等を携帯端末１０に予め登録しておくことにより、毎日の通勤，通学時の降車駅接近通知を可能にしている。なお、利用者は入場駅名や降車駅までの所要時間等を登録時に１回入力するだけでよいため、列車利用の度に入力する必要が無くなり利便性が向上するという効果が得られる。
【００４９】
また、本実施の形態においては、携帯端末１０は改札入場時に自動改札機２０から入場駅名を受信するため、利用者による入力の手間が省けるという効果が得られる。
【００５０】
また、本実施の形態においては、降車駅接近通知時期を調整可能にしているため、通知時期を降車駅到着の何分か前に設定することにより、利用者は降車時に余裕を持って対応することが可能になり、思わぬ怪我や忘れ物等を防止できるという効果が得られる。
【００５１】
また、本実施の形態においては、通知対象日，通知対象時間帯を設定可能にしているため、通勤，通学時以外の無駄な通知を防止できるという効果が得られる。例えば、通知対象日を平日に設定しておくことで、日曜日にいつもの入場駅から遊びに出かけるような場合は通知処理の対象外とすることが可能である。
【００５２】
次に、本発明の他の実施の形態について図面を参照して詳細に説明する。
【００５３】
本実施の形態が上述した一実施の形態と異なる点は、監視時間の経過時間監視の開始時期を変更した点である。すなわち、一実施の形態においては、監視時間の経過時間監視を監視時間算出後すぐに開始していたが、本実施の形態においては、利用者が入場駅における列車乗車時点で所定のキーを押下することにより開始するものとした。これに伴い、入場駅／降車駅データベース１６１に登録する所要時間の定義も異なっている。一実施の形態においては、入場駅の改札入場時点から降車駅に到着するまでの時間を所要時間とし、入場駅，降車駅間の列車乗車時間に、入場駅の自動改札機２０から列車ホームまでの移動時間や列車待ち時間等を加算した時間として説明した。しかし、本実施の形態においては、所要時間は入場駅，降車駅間の列車乗車時間である。本実施の形態の構成は、図１の一実施の形態の構成と同じである。
【００５４】
次に、本発明の他の実施の形態の動作について図１および図５を参照して説明する。図５は、本発明の他の実施の形態の動作を示すフローチャートである。
【００５５】
図５を参照すると、本実施の形態の動作は図４の一実施の形態の動作フローチャートに比べ、ステップＢ１，Ｂ２が追加されている点が異なっている。図４のステップＡ１〜ステップＡ８の動作に続き、利用者は入場駅で列車に乗車した時点で、携帯端末１０の入力部１２の所定のキー（例えば、＃キー）を押下する（図５のステップＢ１）。制御部１１は所定のキーが押下されたことを検出すると（ステップＢ２）、制御部１１は時計部１４を参照して監視時間の経過時間監視を開始する（図４のステップＡ９）。以降の動作は図４のステップ１０〜ステップ１２と同じであるため、説明を省略する。
【００５６】
本実施の形態は、入場駅，降車駅間の列車乗車時間に通知調整時間を加味した時間を監視時間とし、この監視時間の経過時間監視を列車乗車時の所定キー押下により開始しているため、一実施の形態に比べ、より正確な時間で通知ができるという効果が得られる。
【００５７】
次に、本発明の応用例，変形例等について説明する。
【００５８】
・上述した一実施の形態または他の実施の形態においては、改札入場時に携帯端末１０が受信した入場駅が通知対象入場駅として登録されていた場合は降車駅接近通知処理を行うとして説明したが、利用者の了解を得た上で処理を行うようにしてもよい。この場合は、受信した入場駅が登録されていた時点で制御部１１が通知処理を行うか否かの選択画面を表示部１３に表示し、利用者の選択を受けて通知処理を行うか否かを決定する。
【００５９】
・上述した一実施の形態または他の実施の形態においては、携帯端末１０の非接触ＩＣ１７は定期券代わりとして使用され、通知対象入場駅や降車駅は定期券区間内の駅とすることでこれらの駅の登録は最初に１回だけ行えばよいとして説明した。応用例として、定期券情報の代わりに通常の乗車券情報やプリペイド情報を非接触ＩＣ１７に格納して自動改札機２０に入場するようにしてもよい。但し、この場合は、入場駅や降車駅がいつも同じではないと思われるため、入場駅／降車駅データベース１６１への通知対象入場駅等のデータ登録は列車利用の度に行う必要がある。
【００６０】
・上述した一実施の形態または他の実施の形態においては、通知対象日，通知対象時間帯を予め登録しておき、通知対象か否かの判断に使用していたが、これらの登録を止めるようにしてもよい。この場合は、自動改札機２０から受信した入場駅名が登録されていれば無条件に通知対象とするか、または、上述したように利用者に通知処理を行うか否かを選択させるようにする。また、通知対象日，通知対象時間帯のいずれか一方の登録だけを行うようにしてもよい。
【００６１】
・上述した一実施の形態または他の実施の形態においては、通知調整時間を予め登録しておき、通知時期の調整を行っているが、通知調整時間の登録を止めるようにしてもよい。この場合は、所要時間経過時に通知するか、システム固定の通知調整時間により通知時期を決定することになる。
【図面の簡単な説明】
【００６２】
【図１】本発明の一実施の形態の構成を示す図である。
【図２】入場駅／降車駅データベース１６１に格納されるデータの一例を示す図である。
【図３】通知調整時間・通知手段データベース１６２に格納されるデータの一例を示す図である。
【図４】本発明の一実施の形態の動作を示すフローチャートである。
【図５】本発明の他の実施の形態の動作を示すフローチャートである。
【符号の説明】
【００６３】
１０    携帯端末
１１    制御部
１２    入力部
１３    表示部
１４    時計部
１５    通知部
１６    記憶部
１６１    入場駅／降車駅データベース
１６２    通知調整時間・通知手段データベース
１７    非接触ＩＣ
１７１    制御部
１７２    近接通信用アンテナ
１７３    通信部
１７４    記憶部
１８    携帯端末・非接触ＩＣ間インターフェース部
２０    自動改札機
【図１】
2006331175.tif 000003
【図２】
2006331175.tif 000004
【図３】
2006331175.tif 000005
【図４】
2006331175.tif 000006
【図５】
2006331175.tif 000007